(57)【要約】  【課題】Ｗｅｂブラウザに表示されたＨＴＭＬページにおいて、動画を再生するかの如く画面を自動的にスクロール表示及び表示を制御することを可能とする、オートプレイコンテンツ再生表示方法及びオートプレイシステムの提供。  【解決手段】Ｗｅｂブラウザを搭載したユーザＰＣ１と、自動スクロール表示するＨＴＭＬページであるオートプレイコンテンツαを生成するオートプレイサーバ２と、ＨＴＭＬページの配信元であるコンテンツ提供サイト３１、３２、…、３ｎとを通信接続可能にネットワークを介して接続し、前記ユーザＰＣ１は、オートプレイコンテンツαの配信要求手段及び表示再生手段を具備し、前記オートプレイサーバには前記オートプレイコンテンツαの生成手段及び配信手段を具備する、特徴的構成手段の採用。【選択図】        図１
2009020623.tif 000002
【特許請求の範囲】
【請求項１】
インターネット回線を通じて、コンテンツ提供サイトが提供するＨＴＭＬページを、オートプレイサーバが、前記ＨＴＭＬページを自動的にスクロールして表示するオートプレイ機能付きのＨＴＭＬページであるオートプレイコンテンツとして生成し、パーソナルコンピュータのＷｅｂブラウザ上で再生表示するオートプレイコンテンツ再生表示方法であって、
前記Ｗｅｂブラウザを搭載したパーソナルコンピュータから、前記オートプレイサーバに対し、ＨＴＭＬページのアドレスとオートプレイコンテンツの生成要求からなるオートプレイコンテンツ配信要求を送信するオートプレイコンテンツ要求送信手順と、
前記オートプレイサーバにて受信した前記オートプレイコンテンツ配信要求の前記ＨＴＭＬページのアドレスに基づき、前記コンテンツ提供サイトを割り出し、当該コンテンツ提供サイトに前記アドレスを用いて前記ＨＴＭＬページのＨＴＭＬデータ配信要求を行うＨＴＭＬページ配信要求送信手順と、
前記ＨＴＭＬデータ配信要求を受信すると、前記アドレスに該当する前記ＨＴＭＬページのデータを送信するＨＴＭＬデータ送信手順と、
前記ＨＴＭＬデータを前記コンテンツ提供サイトから受信し、受信した当該ＨＴＭＬデータにオートプレイ機能を付加し、オートプレイコンテンツとして生成するオートプレイコンテンツ生成手順と、
前記オートプレイコンテンツ及び当該オートプレイコンテンツを機能させるためのプログラムを前記パーソナルコンピュータに対して送信するオートプレイコンテンツ配信手順と、
受信した前記オートプレイコンテンツをＷｅｂブラウザにて表示するとともに、前記プログラムを起動し、当該オートプレイコンテンツにおいて前記ＨＴＭＬページをスクロール再生表示するオートプレイコンテンツ再生表示手順とを、順次繰り返す、
ことを特徴とするオートプレイコンテンツ再生表示方法。
【請求項２】
前記オートプレイコンテンツは、
再生の停止、再開、一時停止、逆方向再生が可能である、
ことを特徴とする、請求項１に記載のオートプレイコンテンツ再生表示方法。
【請求項３】
前記オートプレイコンテンツは、
再生速度を変更することが可能である、
ことを特徴とする、請求項１に記載のオートプレイコンテンツ再生表示方法。
【請求項４】
前記オートプレイコンテンツは、
前記ＨＴＭＬページの表示された割合を可視的にグラフ表示し、
前記パーソナルコンピュータ利用者が前記グラフ上をマウスクリックした際、
当該グラフにおけるクリック位置に応じて、前記ＨＴＭＬページの表示位置を変更する、
ことを特徴とする、請求項１に記載のオートプレイコンテンツ再生表示方法。
【請求項５】
前記プログラムは、
Java（登録商標）Scriptを利用する、
ことを特徴とする、請求項１から請求項４のいずれか１項に記載のオートプレイコンテンツ再生表示方法。
【請求項６】
前記オートプレイコンテンツは、
複数の前記ＨＴＭＬページを格納し、切り替え再生表示可能とする、
ことを特徴とする、請求項１から請求項５のいずれか１項に記載のオートプレイコンテンツ再生表示方法。
【請求項７】
インターネット回線を通じて、コンテンツ提供サイトが提供するＨＴＭＬページを、オートプレイサーバが、前記ＨＴＭＬページを自動的にスクロールして表示するオートプレイ機能付きのＨＴＭＬページであるオートプレイコンテンツとして生成し、パーソナルコンピュータのＷｅｂブラウザ上で再生表示するオートプレイシステムであって、
前記パーソナルコンピュータは、前記オートプレイサーバに対し、ＨＴＭＬページのアドレスとオートプレイコンテンツの生成要求からなるオートプレイコンテンツ配信要求を送信するオートプレイコンテンツ要求送信手段と、前記オートプレイコンテンツをＷｅｂブラウザにて表示するとともに、当該オートプレイコンテンツを機能させるためのプログラムを起動し、当該オートプレイコンテンツにおいて前記ＨＴＭＬページをスクロール再生表示するオートプレイコンテンツ再生表示手段と、を具備し、
前記オートプレイサーバは、前記オートプレイコンテンツ配信要求を受信する配信要求受信手段と、前記ＨＴＭＬページのアドレスに基づき、前記コンテンツ提供サイトを割り出し、当該コンテンツ提供サイトに前記アドレスを用いて前記ＨＴＭＬページのＨＴＭＬデータ配信要求を行うＨＴＭＬページ要求送信手段と、前記ＨＴＭＬデータを前記コンテンツ提供サイトから受信し、受信した当該ＨＴＭＬデータにオートプレイ機能を付加し、オートプレイコンテンツとして生成するオートプレイコンテンツ生成手段と、前記オートプレイコンテンツ及び前記プログラムを前記パーソナルコンピュータに対して送信するオートプレイコンテンツ配信手段と、を具備する、
ことを特徴とする、オートプレイシステム。
【請求項８】
前記オートプレイコンテンツは、
前記ＨＴＭＬページをスクロール表示するコンテンツ再生部と、
前記パーソナルコンピュータにて可視的に表示されたボタン及びスライドバー、つまみからなるコンテンツ操作部と、
当該コンテンツ操作部にて状態変更が生じた場合に、当該状態変更を受け取り制御命令として認識し、コンテンツ再生部に制御命令として受け渡すコンテンツ制御部と、にて構成される、
ことを特徴とする請求項７に記載のオートプレイシステム。
【請求項９】
前記プログラムは、
Java（登録商標）Scriptにより構築される、
ことを特徴とする、請求項７又は８に記載のオートプレイシステム。
【請求項１０】
前記コンテンツ提供サイトは、
前記オートプレイサーバからの前記ＨＴＭＬページ要求送信に対し、
前記アドレスに該当する前記ＨＴＭＬページのデータを送信するＨＴＭＬデータ送信手段を具備する、
ことを特徴とする、請求項７から９のいずれか１項に記載のオートプレイシステム。
【発明の詳細な説明】
【技術分野】
【０００１】
本発明は、テキストベースのＨＴＭＬページを、動画を再生するように自動的にスクロール表示される機能を持つＨＴＭＬページであるオートプレイコンテンツに変換し、Ｗｅｂブラウザ上にて再生表示可能とするオートプレイコンテンツ再生表示方法及びオートプレイシステムに関するものである。
【背景技術】
【０００２】
現在インターネットをＷｅｂブラウザにて表示する際、見やすさやインパクトを追求する上で、ＨＴＭＬページを動的に表現する技術が利用されている。
【０００３】
その技術としては、動画をブラウザ上に表示したり、ＨＴＭＬページ内部で文字の色の変更や、点滅、又は静止画、文字列などが位置を移動するように表示される方法等様々である。
【発明の開示】
【発明が解決しようとする課題】
【０００４】
近年では、ＨＴＭＬページ自体を自動でスクロールさせる技術も一般的に利用されており、ＨＴＭＬページの一部分又は、全てのページを自動的にスクロールする機能がついているＨＴＭＬページもある。
【０００５】
しかしながら、スクロール表示機能を備えたＨＴＭＬページにおいては、スクロールの速度、停止、スクロールの再開等の設定はもちろんのこと、自動スクロール機能を備えたＨＴＭＬページ自体も、ＨＴＭＬページの製作者が予め作成時に設定することしかできない。
【０００６】
そのため、ＨＴＭＬページを閲覧しているユーザが、スクロール表示機能に不都合を感じても、その不都合をユーザ側にて設定変更する方法はなかった。
【０００７】
ここで、本発明の解決すべき主要な目的は以下の通りである。
【０００８】
本発明の第１の目的は、Ｗｅｂブラウザに表示されたＨＴＭＬページにおいて、動画を再生するかの如く画面を自動的にスクロール表示することを可能とする、オートプレイコンテンツ再生表示方法及びオートプレイシステムを提供することにある。
【０００９】
本発明の第２の目的は、自動的なスクロール表示を行うＨＴＭＬページにおいて、一時停止、速度変更等のスクロール表示機能の制御を実現することを可能とする、オートプレイコンテンツ再生表示方法及びオートプレイシステムを提供することにある。
【００１０】
本発明第３の目的は、テレビチャンネルを変更するかの如く、ＨＴＭＬページに選択可能な複数のＨＴＭＬページを保持させておき、ユーザの選択に応じて、選択したＨＴＭＬページを自動的にスクロール表示および制御を可能とする、オートプレイコンテンツ再生表示方法及びオートプレイシステムを提供することにある。
【００１１】
本発明第４の目的は、従来からあるＨＴＭＬページを、そのＨＴＭＬページの製作者であるコンテンツ提供サイトの種類にこだわることなく、ＨＴＭＬページの自動的なスクロール表示および制御を可能とする、オートプレイコンテンツ再生表示方法及びオートプレイシステムを提供することにある。
【００１２】
本発明の他の目的は、明細書、図面、特に特許請求の範囲における各請求項の記載から自ずと明らかとなろう。
【課題を解決するための手段】
【００１３】
本発明方法は、上記課題の解決に当たり、Ｗｅｂブラウザを搭載したパーソナルコンピュータから、自動的にスクロール表示されるＨＴＭＬページであるオートプレイコンテンツの生成要求をオートプレイサーバに送信すると、オートプレイサーバがコンテンツ提供元サイトへ接続し、当該生成要求に応じたＨＴＭＬページを入手した後、オートプレイコンテンツを生成し、当該パーソナルコンピュータへ配信し、当該パーソナルコンピュータにて前記オートプレイコンテンツを表示可能にする、という特徴的構成手法を講じる。
【００１４】
本発明システムは、上記課題の解決に当たり、Ｗｅｂブラウザを搭載したパーソナルコンピュータと、自動スクロール表示するＨＴＭＬページであるオートプレイコンテンツを生成するオートプレイサーバと、ＨＴＭＬページの配信元であるコンテンツ提供サイトとを通信接続可能にネットワークを介して接続し、前記パーソナルコンピュータは、オートプレイコンテンツの配信要求手段及び表示再生手段を具備し、前記オートサーバは前記オートプレイコンテンツの生成手段を具備する、構成である、という特徴的構成手段を講じる。
【００１５】
さらに、具体的詳細に述べると、当該課題の解決では、本発明が次に列挙する上位概念から下位概念にかかる新規な特徴的構成手法又は手段を採用することにより、前記目的を達成するよう為される。
【００１６】
本発明方法の第１の特徴は、インターネット回線を通じて、コンテンツ提供サイトが提供するＨＴＭＬページを、オートプレイサーバが、前記ＨＴＭＬページを自動的にスクロールして表示するオートプレイ機能付きのＨＴＭＬページであるオートプレイコンテンツとして生成し、パーソナルコンピュータのＷｅｂブラウザ上で再生表示するオートプレイコンテンツ再生表示方法であって、前記Ｗｅｂブラウザを搭載したパーソナルコンピュータから、前記オートプレイサーバに対し、ＨＴＭＬページのアドレスとオートプレイコンテンツの生成要求からなるオートプレイコンテンツ配信要求を送信するオートプレイコンテンツ要求送信手順と、前記オートプレイサーバにて受信した前記オートプレイコンテンツ配信要求の前記ＨＴＭＬページのアドレスに基づき、前記コンテンツ提供サイトを割り出し、当該コンテンツ提供サイトに前記アドレスを用いて前記ＨＴＭＬページのＨＴＭＬデータ配信要求を行うＨＴＭＬページ配信要求送信手順と、前記ＨＴＭＬデータ配信要求を受信すると、前記アドレスに該当する前記ＨＴＭＬページのデータを送信するＨＴＭＬデータ送信手順と、前記ＨＴＭＬデータを前記コンテンツ提供サイトから受信し、受信した当該ＨＴＭＬデータにオートプレイ機能を付加し、オートプレイコンテンツとして生成するオートプレイコンテンツ生成手順と、前記オートプレイコンテンツ及び当該オートプレイコンテンツを機能させるためのプログラムを前記パーソナルコンピュータに対して送信するオートプレイコンテンツ配信手順と、受信した前記オートプレイコンテンツをＷｅｂブラウザにて表示するとともに、前記プログラムを起動し、当該オートプレイコンテンツにおいて前記ＨＴＭＬページをスクロール再生表示するオートプレイコンテンツ再生表示手順とを、順次繰り返してなる、オートプレイコンテンツ再生表示方法の構成採用にある。
【００１７】
本発明方法の第２の特徴は、上記本発明方法の第１の特徴における前記オートプレイコンテンツが、再生の停止、再開、一時停止、逆方向再生が可能である、オートプレイコンテンツ再生表示方法の構成採用にある。
【００１８】
本発明方法の第３の特徴は、上記本発明方法の第１の特徴における前記オートプレイコンテンツが、再生速度を変更することが可能である、オートプレイコンテンツ再生表示方法の構成採用にある。
【００１９】
本発明方法の第４の特徴は、上記本発明方法の第１の特徴における前記オートプレイコンテンツが、前記ＨＴＭＬページの表示された割合を可視的にグラフ表示し、前記パーソナルコンピュータ利用者が前記グラフ上をマウスクリックした際、当該グラフにおけるクリック位置に応じて、前記ＨＴＭＬページの表示位置を変更してなる、オートプレイコンテンツ再生表示方法の構成採用にある。
【００２０】
本発明方法の第５の特徴は、上記本発明方法の第１から第４のいずれかの特徴における前記プログラムが、Java（登録商標）Scriptを利用してなる、オートプレイコンテンツ再生表示方法の構成採用にある。
【００２１】
本発明方法の第６の特徴は、上記本発明方法の第１から第５のいずれかの特徴における前記オートプレイコンテンツが、複数の前記ＨＴＭＬページを格納し、切り替え再生表示可能としてなる、オートプレイコンテンツ再生表示方法の構成採用にある。
【００２２】
本発明システムの第１の特徴は、インターネット回線を通じて、コンテンツ提供サイトが提供するＨＴＭＬページを、オートプレイサーバが、前記ＨＴＭＬページを自動的にスクロールして表示するオートプレイ機能付きのＨＴＭＬページであるオートプレイコンテンツとして生成し、パーソナルコンピュータのＷｅｂブラウザ上で再生表示するオートプレイシステムであって、前記パーソナルコンピュータは、前記オートプレイサーバに対し、ＨＴＭＬページのアドレスとオートプレイコンテンツの生成要求からなるオートプレイコンテンツ配信要求を送信するオートプレイコンテンツ要求送信手段と、前記オートプレイコンテンツをＷｅｂブラウザにて表示するとともに、当該オートプレイコンテンツを機能させるためのプログラムを起動し、当該オートプレイコンテンツにおいて前記ＨＴＭＬページをスクロール再生表示するオートプレイコンテンツ再生表示手段と、を具備し、前記オートプレイサーバは、前記オートプレイコンテンツ配信要求を受信する配信要求受信手段と、前記ＨＴＭＬページのアドレスに基づき、前記コンテンツ提供サイトを割り出し、当該コンテンツ提供サイトに前記アドレスを用いて前記ＨＴＭＬページのＨＴＭＬデータ配信要求を行うＨＴＭＬページ要求送信手段と、前記ＨＴＭＬデータを前記コンテンツ提供サイトから受信し、受信した当該ＨＴＭＬデータにオートプレイ機能を付加し、オートプレイコンテンツとして生成するオートプレイコンテンツ生成手段と、前記オートプレイコンテンツ及び前記プログラムを前記パーソナルコンピュータに対して送信するオートプレイコンテンツ配信手段と、を具備してなるオートプレイシステムの構成採用にある。
【００２３】
本発明システムの第２の特徴は、上記本発明方法の第１の特徴における前記オートプレイコンテンツが、前記ＨＴＭＬページをスクロール表示するコンテンツ再生部と、前記パーソナルコンピュータにて可視的に表示されたボタン及びスライドバー、つまみからなるコンテンツ操作部と、当該コンテンツ操作部にて状態変更が生じた場合に、当該状態変更を受け取り制御命令として認識し、コンテンツ再生部に制御命令として受け渡すコンテンツ制御部と、にて構成されてなる、オートプレイシステムの構成採用にある。
【００２４】
本発明方法の第３の特徴は、上記本発明方法の第１又は第２の特徴における前記プログラムが、Java（登録商標）Scriptにより構成されてなる、オートプレイシステムの構成採用にある。
【００２５】
本発明方法の第４の特徴は、上記本発明方法の第１から第４のいずれかの特徴における前記コンテンツ提供サイトが、前記オートプレイサーバからの前記ＨＴＭＬページ要求送信に対し、前記アドレスに該当する前記ＨＴＭＬページのデータを送信するＨＴＭＬデータ送信手段を具備されてなる、オートプレイシステムの構成採用にある。
【発明の効果】
【００２６】
本発明によれば、クライアント側ＰＣの動作環境に依存せず、インターネットに接続されていて、かつＷｅｂブラウザがインストールされている端末であれば容易に自動スクロール機能を持つＨＴＭＬページを表示することが可能である。
【００２７】
また、クライアント側ＰＣ及びＨＴＭＬページの提供先に専用ソフト等をインストールすることなく、自動的にＨＴＭＬページのスクロール操作を行うことができる。
【００２８】
さらに、ＨＴＭＬページの提供元であるコンテンツ提供サイト側において予めＨＴＭＬページに特別な機能を付け加えることなく、既存のＨＴＭＬページを自動的にスクロール表示することが可能となる。
【発明を実施するための最良の形態】
【００２９】
以下、本発明を実施するためのシステム例及び当該システム例における実施例を説明する。
【００３０】
（システム例）
まず、図１を用いて、本発明システムについて説明する。
【００３１】
図１は、本発明におけるオートプレイシステムの全体構成図であり、本システムは、Ｗｅｂブラウザを表示するユーザＰＣ１と、ＨＴＭＬページにおけるオートプレイ機能を制御するオートプレイサーバ２と、ＨＴＭＬページの提供先である複数のコンテンツ提供サイト３１、３２…３ｎとを、それぞれ図示しないインターネット網を通じて通信接続可能な構成とする。
【００３２】
ユーザＰＣ１は、Ｗｅｂブラウザを搭載したパーソナルコンピュータを利用する。ここにおいてＷｅｂブラウザの種類は問わないが、ユーザＰＣ１は、各種Ｗｅｂブラウザにて標準で実装されているJava（登録商標）Scriptを有効状態に設定している必要がある。
【００３３】
次に、オートプレイサーバ２は、ユーザＰＣ１からの要求に応じて、要求を受けたＨＴＭＬページをオートプレイ機能付きのＨＴＭＬページであるオートプレイコンテンツとして生成及び配信するサーバであり、ＰＣ１からオートプレイ機能でＰＣ１を利用するユーザが表示したいＨＴＭＬページのアドレスからなるオートプレイコンテンツ要求を受信するコンテンツ要求受信部２１と、オートプレイコンテンツ要求に含まれたアドレスのＨＴＭＬページを配信するコンテンツ提供サイト３１、３２、…３ｎに最新のＨＴＭＬページ情報を要求するＨＴＭＬページ要求部２２と、コンテンツ提供サイト３１、３２、…３ｎから最新のＨＴＭＬページ情報を入手するとともに、入手したＨＴＭＬページをオートプレイコンテンツとして生成するオートプレイコンテンツ生成部２３と、生成したオートプレイコンテンツをユーザＰＣ１に対して配信するオートプレイコンテンツ配信部２４とにて構成される。
【００３４】
さらに、コンテンツ提供サイト３１、３２、…３ｎは、オートプレイサーバ２から要求を受けたＨＴＭＬページを提供するニュースサイト又はＳＮＳサイト等その種類を限定しないコンテンツ配信元であり、ＨＴＭＬページを配信しているサイトであればそのサイト自体に特別な機能を持たせる必要はない。
【００３５】
次に、図２を用いて、オートプレイ生成部にてＨＴＭＬページにオートプレイ機能が付加されることにより生成されたオートプレイコンテンツαの構成について説明する。
【００３６】
オートプレイコンテンツαは、システム利用者が選択したＨＴＭＬページをＷｅｂブラウザ上で動的に再生するコンテンツ再生部４と、コンテンツ再生部４に表示されたＨＴＭＬページの再生、一時停止等の再生制御を利用者に選択操作可能にＷｅｂブラウザ上に表示されたコンテンツ操作部５と、利用者によるコンテンツ操作部５における操作を受け取り、実行命令として認識し、コンテンツ再生部４に対して制御命令として送信しオートプレイコンテンツαの再生を制御するコンテンツ制御部６にて構成される。
【００３７】
また、同図に示すように、コンテンツ操作部５の構成例としては、予め利用者が設定選択しておいたＨＴＭＬページをコンテンツ表示部４にて表示切り替え可能にするチャンネル切り替えボタン５１と、ＨＴＭＬページにおけるスクロール位置の全体に対して現在表示されている表示位置の割合を表すプログレスバー５２と、プログレスバー５２上を水平方向に移動させることにより、コンテンツ表示部４に表示されたＨＴＭＬページの表示位置を変更できるつまみ５３と、コンテンツ再生部４に表示されるＨＴＭＬページの再生、逆再生、一時停止、早送り、巻き戻しを行う機能ボタン５４と、コンテンツ表示部４にスクロール表示されるＨＴＭＬページのスクロール速度の変更を行うスピード調節ボタン５５と、にて構成される。
【００３８】
ここで、コンテンツ操作部５は、コンテンツ操作部５に含まれるそれぞれの機能を持つボタン及びバー、つまみが、それぞれの部位に対して、ユーザＰＣ１からマウスクリック操作が与えられたことを契機に、そのクリック操作を操作情報として受信するとともにコンテンツ制御部６に当該操作情報を送信する機能部である。
【００３９】
さらに、コンテンツ制御部６は、コンテンツ操作部５より受信した操作情報をコンテンツ再生部４に制御命令として送信する機能部であり、コンテンツ制御部６からの制御命令により、コンテンツ再生部４は、コンテンツ再生部４に表示されたＨＴＭＬページの変更や、ＨＴＭＬページのスクロール速度の変更、スクロールの停止等、制御命令が反映されたものをＨＴＭＬページとして再生表示する。
【００４０】
以上が、オートプレイコンテンツαの構成内容であるが、コンテンツ操作部に含まれる操作機能に関しては、上述したものに限らず、適宜必要機能を付け加えることも可能である。
【００４１】
次に、本発明システムにおける実施例を説明する。
【００４２】
本実施例は、図１、２を利用してユーザＰＣ１のＷｅｂブラウザにてオートプレイコンテンツαを表示・操作するまでの一連の手順を説明するものであり、まず、ユーザＰＣ１がＷｅｂブラウザにてオートプレイコンテンツαを表示するまでの方法を手順１として説明し、さらに、ユーザＰＣ１にてオートプレイコンテンツαを操作するまでの方法を手順２として説明する。
【００４３】
（手順１  オートプレイコンテンツα表示方法）
まず、本システム利用ユーザはユーザＰＣ１にてＷｅｂブラウザを起動し、オートプレイサーバ２が配信するオートプレイコンテンツ提供用サイトへ接続する。
【００４４】
オートプレイコンテンツ提供用サイトにユーザＰＣ１が接続されると、ユーザＰＣ１は、ユーザのＩＰ等ユーザ固有の情報からなるユーザ情報及び、オートプレイコンテンツαにて表示されるＨＴＭＬページのアドレスからなるオートプレイコンテンツ配信要求をオートプレイサーバ２へ送信する（Ｉ）。
【００４５】
ここで、ユーザ情報に特に限定はなく、配信要求送信の際に、オートプレイサーバ２にて動的なアドレスを自動的に生成し、ユーザＰＣ１に対して送信するなどしても良い。
【００４６】
さらにユーザＰＣ１がオートプレイサーバ２へ配信要求を送信する場合において、ここではユーザＰＣ１がオートプレイ提供用サイトに接続したと同時に自動的にオートプレイサーバ２へ提供要求を送信するものとして説明したが、配信要求の送信方法はこれに限定されず、例えば、ユーザがユーザＰＣ１において、オートプレイコンテンツαにて再生したいＨＴＭＬページを指定し、マウスをクリックするなどして、利用者の判断によりオートプレイコンテンツ要求を送信するようにしてもよい。
【００４７】
次に、オートプレイサーバ２内のコンテンツ要求受信部２１は、ユーザＰＣ１から送信された配信要求を受信すると、配信要求に含まれるＨＴＭＬページ情報から、そのＨＴＭＬページを提供しているコンテンツ提供サイト３１、３２、…３ｎを調べ、ＨＴＭＬページ要求部２２へ、ＨＴＭＬページとコンテンツ提供サイトのアドレスからなるページ情報を受け渡す（II）。
【００４８】
ここにおいて、ユーザＰＣ１にて指定されるＨＴＭＬページの数は１以上とし、コンテンツ要求受信部２１はその数に関係なく、１又は複数のページ情報をＨＴＭＬページ要求部２２へ順に渡すこととする。
【００４９】
次に、ＨＴＭＬページ要求部２２は、受け取った１以上のページ情報に基づき、ＨＴＭＬページを配信するコンテンツ提供サイト３１、３２、…、３ｎへ、ＨＴＭＬページの要求を送信する（III）。
【００５０】
コンテンツ提供サイト３１、３２、…、３ｎは、ＨＴＭＬページ要求部２２からのＨＴＭＬページ要求に対し、最新のＨＴＭＬページを出力する（IV）。なお、図１ではデータの流れを明瞭に説明するためコンテンツ提供サイト３１のみとＨＴＭＬページの要求、出力を図示したが、コンテンツ提供サイト３２、…３ｎにおいてもその要求、出力の手順は同様である。
【００５１】
オートプレイコンテンツ生成部２３は、コンテンツ提供サイト３１、３２、…、３ｎから出力されたＨＴＭＬページを受信し、ＨＴＭＬページをオートプレイ用のレイアウトに変換しオートプレイコンテンツαを生成する（V）。
【００５２】
オートプレイコンテンツαを生成した後、オートプレイコンテンツ生成部２３は、生成したコンテンツデータをオートプレイコンテンツ配信部２４に受け渡す（VI）。
【００５３】
コンテンツデータを受け取ったオートプレイコンテンツ配信部２４は、ユーザＰＣ１に対してオートプレイ機能を組み込んだJava（登録商標）Scriptを出力し、さらに続けて受け取ったオートプレイコンテンツαのデータを出力する（VII）。
【００５４】
ユーザＰＣ１は、オートプレイサーバ２よりオートプレイ機能組み込みJava（登録商標）Script及び、オートプレイコンテンツαを受信すると、まずオートプレイコンテンツαをＷｅｂブラウザ上に表示し、さらに、コンテンツ提供サイト３１、３２、…、３ｎにて提供されるＨＴＭＬページのデータを隠しオブジェクトとして配置し、機能組み込みJava（登録商標）Scriptから初期化用のJava（登録商標）Script関数を呼び出すとともに、オートプレイコンテンツαのコンテンツ操作部５のそれぞれの機能部の値を初期化した後、コンテンツ再生部４にてユーザが選択したＨＴＭＬページを再生する。
【００５５】
以上が、ユーザＰＣ１にてオートプレイコンテンツαを表示する手順である。次に、ユーザＰＣ１にてオートプレイコンテンツαを操作する場合の実施例である手順２を説明する。
【００５６】
（手順２  オートプレイコンテンツα操作方法）
ユーザＰＣ１にオートプレイコンテンツαが表示され、コンテンツ再生部４にて自動的にＨＴＭＬページの再生が始まると、コンテンツ操作部５の各操作部が操作可能となる。
【００５７】
まず、コンテンツ操作部５のいずれかの操作部をユーザＰＣ１にてマウスクリックすると、コンテンツ操作部５から操作内容を示す操作情報がコンテンツ制御部６に受け渡される。
【００５８】
コンテンツ制御部６は受け取った操作情報をコンテンツ再生部４へ制御命令として受け渡し、コンテンツ再生部４は、受け取った制御命令をＨＴＭＬページの再生に反映させる。
【００５９】
コンテンツ操作部５の何れの操作部においても、同様の手順でコンテンツの再生が制御されることとなる。
【００６０】
例えば、チャンネル切り替えボタン５１は、コンテンツ提供サイト３１、３２、…、３ｎから提供された複数のＨＴＭＬページの表示を切り替えるボタンであり、それぞれのチャンネルボタン１つに対し１つのＨＴＭＬページが割り当てられている。
【００６１】
チャンネル切り替えボタン５１をマウスクリックすると、チャンネル切り替えボタン５１から操作情報がコンテンツ制御部６へ送信され、コンテンツ制御部６は、コンテンツ再生部４に対して受け取った操作情報と新たに表示するＨＴＭＬページ情報を、ＨＴＭＬページの表示を切り替える制御命令としてJava （登録商標）Scriptにて送る。
【００６２】
するとコンテンツ再生部４は、コンテンツ制御部６により指示されたＨＴＭＬページをコンテンツ再生部に表示するとともに、スクロール開始位置から下方向にＨＴＭＬページを再生する。
【００６３】
さらに、コンテンツ制御部６は、チャンネル切り替え前のページが表示されていた表示位置を記憶しておくこととし、チャンネル切り替えボタン５１により別チャンネルに切り替わった後、一度再生されていたＨＴＭＬページに表示を切り替える場合には、切り替え前に再生されていた表示状態にスクロール位置を移動してから再度再生を行う。
【００６４】
また、プログレスバー５２、つまみ５３、機能ボタン５４、スピード調節ボタンにおいてもその操作方法は同様であり、マウスによりボタン及びバー、つまみをクリックすると、コンテンツ制御部によりそのクリックに対応した制御命令がコンテンツ再生部４に送られ、コンテンツ再生部４に反映される。
【００６５】
以上が、オートプレイコンテンツαの操作方法であるが、上述したコンテンツ操作部５は、これらの機能部に限らず適宜その機能を追加及び削除させることが可能であり、どの操作においても、コンテンツ制御部６にてJava（登録商標）Scriptを利用してコンテンツ再生部に操作を反映させることによりオートプレイコンテンツαを表示再生する。
【００６６】
さらに、コンテンツ提供サイトにより、ＨＴＭＬページが更新された場合、その更新内容をオートプレイコンテンツαに反映させる場合には、コンテンツ制御部６から一定間隔おきにオートプレイコンテンツαに対しＨＴＭＬページ配信要求を行うよう設定し、それ以降は、手順１の（II）〜（VII）を順次繰り返すことにより、常時、最新の情報をコンテンツ再生部４に反映させることが可能となる。
【００６７】
以上、本発明の実施形態につき、そのシステム例及びこれに対応する実施例を挙げて説明したが、本発明は、必ずしも上述した手段及び手法にのみ限定されるものではなく、前述の効果を有する範囲内において、適宜、変更実施することが可能なものである。
【産業上の利用可能性】
【００６８】
本発明を実施することにより、コンテンツ提供元であるコンテンツ提供サイトや、ＨＴＭＬページを閲覧するＰＣ１側に何ら特別な機能を加えず、オートプレイコンテンツ用サーバを付加させるのみで、テキストベースのＨＴＭＬページが、動画を再生するような感覚で表示再生することが可能となる。
【００６９】
さらに、日記や小説等、テキストの文字列の行数が膨大なＨＴＭＬページにおいては、マウスを頻繁に操作することなくＨＴＭＬページを見ることができる上に、利用者に適した速度でスクロールすることができ大変効果的である。
【図面の簡単な説明】
【００７０】
【図１】本発明のシステム例におけるシステム構成図である。
【図２】本発明のシステム例におけるオートプレイコンテンツαの機能構成図である。
【符号の説明】
【００７１】
１…ユーザＰＣ
２…オートプレイサーバ
２１…コンテンツ要求受信部
２２…ＨＴＭＬページ要求部
２３…オートプレイコンテンツ生成部
２４…オートプレイコンテンツ配信部
３１、３２、…３ｎ…コンテンツ提供サイト
４…コンテンツ再生部
５…コンテンツ操作部
５１…チャンネル切り替えボタン
５２…プログレスバー
５３…つまみ
５４…機能ボタン
５５…スピード調節ボタン
６…コンテンツ制御部
【図１】
2009020623.tif 000003
【図２】
2009020623.tif 000004